(57)【要約】【課題】ブラケットと棚柱との係合部分のガタつきやブラケットの爪や棚柱の変形を抑制することができるショーケースおよびショーケース用の棚を提供する。【解決手段】本発明のショーケース１は、前面が開口して商品の陳列室５を構成するショーケース本体と、商品が載置される棚板１０と、ショーケース本体の後面に設けられ、棚板１０が取り付けられる棚柱３０と、棚板１０の左右をそれぞれ固定する一対のブラケット２０とを備え、棚柱３０はブラケット２０を係合する係合孔３３を有し、ブラケット２０は、棚板１０を固定するブラケット本体２１と、ブラケット本体２１後方から外側に折り曲げられた折り曲げ部２３と、折り曲げ部２３から後方に突出して係合孔３３に係合する係合部２５とを有することを特徴とする。【選択図】図１
2019097778.tif 000002
【特許請求の範囲】
【請求項１】
前面が開口して商品の陳列室を構成するショーケース本体と、
前記商品が載置される棚板と、
前記ショーケース本体の後面に設けられ、前記棚板が取り付けられる棚柱と、
この棚板の左右をそれぞれ固定する一対のブラケットとを備え、
前記棚柱は前記ブラケットを係合する係合孔を有し、
前記ブラケットは、前記棚板を固定するブラケット本体と、このブラケット本体後方から外側に折り曲げられた折り曲げ部と、この折り曲げ部から後方に突出して前記係合孔に係合する係合部とを有することを特徴とするショーケース。
【請求項２】
前記折り曲げ部は、前記ブラケット本体に対して略垂直に折り曲げられたことを特徴とする請求項１に記載のショーケース。
【請求項３】
前記折り曲げ部は、前記係合部が前記棚柱の係合孔に係合するとき前記棚柱に当接することを特徴とする請求項１または請求項２に記載のショーケース。
【請求項４】
前記棚板を前方に引き出し可能なスライドレールをさらに備え、前記スライドレールは、前記ブラケット本体の外側に設けられたことを特徴とする請求項１ないし請求項３のいずれか一つに記載のショーケース。
【請求項５】
一対の前記ブラケットを接続して前記ブラケットによる前記棚板の支持を補強する補強部材をさらに備え、前記補強部材は、前記ブラケット本体の内側に設けられたことを特徴とする請求項４に記載のショーケース。
【請求項６】
前記補強部材と前記スライドレールは前記ブラケット本体を挟んで固定されたことを特徴とする請求項５に記載のショーケース。
【請求項７】
前記補強部材と前記ブラケット本体と前記スライドレールとを固定する固定部材をさらに備えたことを特徴とする請求項５または請求項６に記載のショーケース。
【請求項８】
ショーケースの陳列室内に設けられ、商品が載置される棚板と、
この棚板の左右をそれぞれ固定する一対のブラケットとを備え、
前記ブラケットは、前記棚板を固定するブラケット本体と、このブラケット本体後方から外側に折り曲げられた折り曲げ部と、この折り曲げ部から後方に突出して、前記ショーケースに設けられた棚柱の係合孔に係合する係合部とを有することを特徴とするショーケース用の棚。
【請求項９】
前記折り曲げ部は、前記ブラケット本体に対して略垂直に折り曲げられたことを特徴とする請求項８に記載のショーケース用の棚。
【請求項１０】
前記折り曲げ部は、前記係合部が前記棚柱の係合孔に係合するとき前記棚柱に当接することを特徴とする請求項８または請求項９に記載のショーケース用の棚。
【請求項１１】
前記棚板を前方に引き出し可能なスライドレールをさらに備え、前記スライドレールは、前記ブラケット本体の外側に設けられたことを特徴とする請求項８ないし請求項１０のいずれか一つに記載のショーケース用の棚。
【請求項１２】
一対の前記ブラケットを接続して前記ブラケットによる前記棚板の支持を補強する補強部材をさらに備え、前記補強部材は、前記ブラケット本体の内側に設けられたことを特徴とする請求項１１に記載のショーケース用の棚。
【請求項１３】
前記補強部材と前記スライドレールは前記ブラケット本体を挟んで固定されたことを特徴とする請求項１２に記載のショーケース用の棚。
【請求項１４】
前記補強部材と前記ブラケット本体と前記スライドレールとを固定する固定部材をさらに備えたことを特徴とする請求項１２または請求項１３に記載のショーケース用の棚。
【発明の詳細な説明】
【技術分野】
【０００１】
本発明は、ショーケースおよびショーケース用の棚に係り、特に、ショーケース本体と棚を係合する構造に関するものである。
【背景技術】
【０００２】
従来のショーケースにおいては、ショーケース本体に棚を係合する構造として、棚の左右端を一対のブラケットに固定し、ブラケットの後方に突出した爪を、ショーケース本体の棚柱の孔に挿通して棚柱に係合する技術が開示されている（例えば、特許文献１を参照）。
【先行技術文献】
【特許文献】
【０００３】
【特許文献１】特開２００２−２０９６８４号公報
【発明の概要】
【発明が解決しようとする課題】
【０００４】
しかし、特許文献１のように、ブラケットの本体後方から突出するブラケットの爪がショーケース本体の棚柱に係合する構造では、単に爪の部分で棚柱に引っ掛けているだけであるため、ブラケットと棚柱との係合部分にガタつきが生じやすい。また、棚柱に係合した爪の接点や棚柱に応力が集中して爪や棚柱が変形するおそれがある。
【０００５】
本発明はこれらの点に鑑みてなされたものであり、ブラケットと棚柱との係合部分のガタつきやブラケットの爪や棚柱の変形を抑制することができるショーケースおよびショーケース用の棚を提供することを目的とする。
【課題を解決するための手段】
【０００６】
前記目的を達成するため本発明の一局面に係るショーケースは、前面が開口して商品の陳列室を構成するショーケース本体と、商品が載置される棚板と、ショーケース本体の後面に設けられ、棚板が取り付けられる棚柱と、棚板の左右をそれぞれ固定する一対のブラケットとを備え、棚柱はブラケットを係合する係合孔を有し、ブラケットは、棚板を固定するブラケット本体と、ブラケット本体後方から外側に折り曲げられた折り曲げ部と、折り曲げ部から後方に突出して係合孔に係合する係合部とを有することを特徴とする。
【０００７】
また、本発明の他の局面に係るショーケース用の棚は、ショーケースの陳列室内に設けられ、商品が載置される棚板と、棚板の左右をそれぞれ固定する一対のブラケットとを備え、ブラケットは、棚板を固定するブラケット本体と、ブラケット本体後方から外側に折り曲げられた折り曲げ部と、折り曲げ部から後方に突出して、ショーケースに設けられた棚柱の係合孔に係合する係合部とを有することを特徴とする。
【発明の効果】
【０００８】
本発明によれば、ブラケットと棚柱との係合部分のガタつきやブラケットの爪や棚柱の変形を抑制することができる。
【図面の簡単な説明】
【０００９】
【図１】本発明の実施形態を示すショーケースの概略斜視図
【図２】図１のショーケースの一部を示す概略斜視図
【図３】図２の領域Ａの拡大斜視図
【図４】図３の線Ｂ１−Ｂ１に沿う断面を矢印Ｂ２の方向から見たときの断面図
【図５】図２の棚板１０からガラス板９を除いた拡大斜視図
【図６】図５の領域Ｃの拡大斜視図
【図７】図５の棚板１０をＤの方向から見たときの正面図
【図８】図６の棚板１０をＥの方向から見たときの斜視図
【図９】図６の棚板１０から側方棚部材１１と後方棚部材１３を除いた斜視図
【図１０】図８の分解斜視図
【図１１】従来の棚板１００の接続構造の例を示す斜視図
【図１２】図１１の棚板１００から側方棚部材１１０と後方棚部材１３０を除いてＦの方向から見たときの斜視図
【図１３】図１１の分解斜視図
【発明を実施するための形態】
【００１０】
第１の発明は、前面が開口して商品の陳列室を構成するショーケース本体と、商品が載置される棚板と、ショーケース本体の後面に設けられ、棚板が取り付けられる棚柱と、棚板の左右をそれぞれ固定する一対のブラケットとを備え、棚柱はブラケットを係合する係合孔を有し、ブラケットは、棚板を固定するブラケット本体と、このブラケット本体後方から外側に折り曲げられた折り曲げ部と、この折り曲げ部から後方に突出して係合孔に係合する係合部とを有する。
これによれば、折り曲げ部が棚柱に当接するため、ブラケットと棚柱との係合部分のガタつきやブラケットの爪や棚柱の変形を抑制することができる。
【００１１】
第２の発明は、折り曲げ部が、ブラケット本体に対して略垂直に折り曲げられる。
これによれば、折り曲げ部と棚柱とが面で当接するため、ブラケットと棚柱との係合部分のガタつきやブラケットの爪や棚柱の変形を抑制しやすくなる。
【００１２】
第３の発明は、折り曲げ部は、係合部が棚柱の係合孔に係合するとき棚柱に当接する。
これによれば、係合部が係合孔に挿通して棚柱にブラケットが係合されて、ブラケットと棚柱との係合部分に応力がかかる際に、折り曲げ部が棚柱に当接するため、ブラケットと棚柱との係合部分のガタつきやブラケットの爪や棚柱の変形を抑制することができる。
【００１３】
第４の発明は、棚板を前方に引き出し可能なスライドレールをさらに備え、スライドレールは、ブラケット本体の外側に設けられた。
これによれば、スライドレールをブラケットと別個の連結部材無しに棚板側に接続でき、特に横幅のサイズを抑制し、棚板全体を小型化することができる。
【００１４】
第５の発明は、一対のブラケットを接続してブラケットによる棚板の支持を補強する補強部材をさらに備え、補強部材は、ブラケット本体の内側に設けられた。
これによれば、スライドレールをブラケットと別個の連結部材無しに補強部材に接続でき、特に横幅のサイズを抑制し、棚板全体を小型化することができる。
【００１５】
第６の発明は、補強部材とスライドレールはブラケット本体を挟んで固定された。
これによれば、補強部材とスライドレールとブラケットとを別個の連結部材を介さずに固定することができ、特に横幅のサイズを抑制し、棚板全体を小型化することができる。
【００１６】
第７の発明は、補強部材とブラケット本体とスライドレールとを固定する固定部材をさらに備えた。
これによれば、補強部材とブラケット本体とスライドレールとをそれぞれ個別に固定せず、一の固定部材によって全体を固定できるため、特に横幅のサイズを抑制し、棚板全体を小型化することができる。
【００１７】
第８の発明は、ショーケースの陳列室内に設けられ、商品が載置される棚板と、この棚板の左右をそれぞれ固定する一対のブラケットとを備え、ブラケットは、棚板を固定するブラケット本体と、このブラケット本体後方から外側に折り曲げられた折り曲げ部と、この折り曲げ部から後方に突出して、ショーケースに設けられた棚柱の係合孔に係合する係合部とを有する
これによれば、折り曲げ部が棚柱に当接するため、ブラケットと棚柱との係合部分のガタつきやブラケットの爪や棚柱の変形を抑制することができる。
【００１８】
以下、本発明に係る棚板を適用したショーケースの実施形態について、図面を参照して説明する。
図１は、本発明の実施形態を示すショーケースの概略斜視図である。図２は、図１のショーケースの概略斜視図である。図３は、図２の領域Ａの拡大斜視図である。図４は、図３の線Ｂ１−Ｂ１に沿う断面を矢印Ｂ２の方向から見たときの断面図である。図５は、図２の棚板１０からガラス板９を除いた拡大斜視図である。図６は、図５の領域Ｃの拡大斜視図である。図７は、図５の棚板１０をＤの方向から見たときの正面図である。図８は、図６の棚板１０をＥの方向から見たときの斜視図である。図９は、図６の棚板１０から側方棚部材１１と後方棚部材１３を除いた斜視図である。図１０は、図８の分解斜視図である。図１１は、従来の棚板１００の接続構造の例を示す斜視図である。図１２は、図１１の棚板１００から側方棚部材１１０と後方棚部材１３０を除いてＦの方向から見たときの斜視図である。図１３は、図１１の分解斜視図である。
本発明の実施形態では、図１のショーケースの、右側を右、左側を左、上側を上、下側を下、奥側を後、手前側を前、と定義する。また、Ｘ軸はショーケースの左側から右側に向かう方向を正として幅方向を示し、Ｙ軸は奥側から手前側に向かう方向を正として奥行き方向を示し、Ｚ軸は下側から上側に向かう方向を正として高さ方向を示す。また、ショーケースの内部に向かう方向を内側、外部に向かう方向を外側、と定義する。
【００１９】
本実施形態のショーケース１は、図１や図２に示すように、断面コ字状の箱型のショーケース本体２と、陳列室５と、棚板１０とを備える。ショーケース本体２は、天板２ａと、ガラス付の側板２ｂと、底板２ｃと、背面板２ｄと、デックパン４と、仕切板６とを備え、これらにより図２で示される断面コ字状を構成する。ショーケース本体２は、さらに図示しない断熱材が内側に設けられて仕切板６やデックパン４によってダクト８を構成し、図示しない冷凍システムによる冷気がこのダクト８内を循環する。この冷気が陳列室５を循環し、陳列室５内の商品は低温に保たれる。陳列室５内には、仕切板６に係合された複数の棚板１０が設けられ、この棚板１０に設けられたガラス板９に商品が載置される。図２では、棚板１０のショーケース１での接続構造を説明しやすくするために、便宜上、図１から棚板１０から商品を載置されるガラス板９や側板２ｂが除かれたものが示されている。なお、本実施形態では棚板１０に設けられるのはガラス板９であったが、不透明な板金であってもよい。
【００２０】
次に、図３から図１３を用いて、本実施形態のショーケース１における棚板１０の接続構造について説明する。
図３や図５に示すように、棚板１０は、左右に設けられた側方棚部材１１と前方に設けられた前方棚部材１２、後方に設けられた後方棚部材１３を有し、これらの部材の上に商品を載置するガラス板９が設けられる。このガラス板９が設けられた側方棚部材１１、前方棚部材１２、後方棚部材１３は引き出し自在である。側方棚部材１１は、この板を載置する棚載置部１１ａ、後述のスライドレール６０を取り付ける側方板部材１１ｂ、この側方板部材１１ｂに設けられた固定孔１１ｃを有する。また、側方棚部材１１、前方棚部材１２、後方棚部材１３は、例えばスポット溶接やネジ止めにより接合されている。
【００２１】
図３に示すように、棚板１０は、ブラケット２０を有し、ブラケット２０は仕切板６の両端に設けられた棚柱３０に係合される。図６に示すように、ブラケット２０は、ブラケット本体２１と、折り曲げ部２３と、係合部２５とを有する。ブラケット２０は、左右一対に設けられ、ブラケット本体２１の奥行き方向に伸びる部分は左右の側方棚部材１１にそれぞれ覆われている。折り曲げ部２３は、ブラケット本体２１の奥行き方向後端から外側に向かって略垂直に折り曲げられている。図７〜図９に示すように、ブラケット本体２１の奥行き方向後端には上方向に盛り上がった突出部２４が設けられている。この突出部２４の根元には窪み部２４ａが設けられて、係合部２５にかかる応力を分散させてクラックが入ることを抑制する。図３や図４、図９に示すように、係合部２５は、折り曲げ部２３から奥行き方向後ろ側に向かって略垂直に折り曲げられている。係合部２５は、折り曲げ部２３から後方に向かって突出する複数の係合爪２５ａ〜２５ｄを有する。係合爪２５ａの上部には、上方に突出した抜け防止部材２６が設けられている。図１０に示すように、ブラケット本体２１の側方板部材１１ｂに沿った下面と上面には、それぞれ下面リブ２７、上面リブ２９が設けられており、ブラケット本体２１の強度を補強する。ブラケット本体２１には奥行き方向に沿って挿通孔２８が設けられている。
【００２２】
図３に示すように、棚柱３０は、仕切板６の両端に左右一対で設けられ、上下方向に伸びる柱部３１と、この柱部３１に上下方向に略等間隔で設けられた複数の係合孔３３とを有する。この係合孔３３に係合部２５が係合する。換言すると、係合部２５の係合爪２５ａ〜２５ｄが挿通して柱部３１の裏側に係合爪２５ａ〜２５ｄが係合することで、棚柱３０にブラケット２０が係合される。ここで、抜け防止部材２６が上方に突出しているため、上方向にブラケット２０がガタついてもこの抜け防止部材２６が柱部３１の裏側に当接しやすい。このため、ブラケット２０が棚柱３０からの脱離が抑制される。また、図３や図４に示すように、係合爪２５ａを係合孔３３に挿通するため、係合孔３３の幅は係合爪２５ａ（係合部２５）の幅よりも大きい。これにより、係合爪２５ａがガタつく可能性があるが、図４に示すように、係合爪２５ａが棚柱３０の係合孔３３に係合するとき、折り曲げ部２３の裏面が棚柱３０の柱部３１に当接する。折り曲げ部２３と柱部３１とが面で当接するため、当接する方向へのガタつきが規制される。また、係合爪２５ａの変形も抑制しやすくなる。そして、左右のブラケット２０の折り曲げ部２３と棚柱３０の柱部３１において互いに上下方向（Ｚ方向）を中心軸とする回転方向のガタつきについて、互いに逆向きのガタつきが規制されるので全体としてブラケット２０と棚柱３０との係合部分のガタつきやブラケット２０の係合部２５である係合爪２５ａ〜２５ｄの変形を抑制することができる。また、折り曲げ部２３は面で柱部３１と当接するため、棚板１０の前方への引き出しに伴う前後方向（Ｙ方向）を軸とする回転方向のガタつきによって、柱部３１には折り曲げ部２３から点でなく面による応力がかかることになる。このため、柱部３１にかかる応力が分散し、柱部３１の凹みなどの変形や破損を防止することができる。
【００２３】
図８〜図１０に示すように、棚板１０には、左右一対のブラケット２０を補強する補強部材４０がブラケット本体２１の内側に設けられている。この補強部材４０は、上方向に起立し、幅方向に伸びる後板４１と、幅方向に伸びる底板４２とを有する。後板４１は、棚板１０が奥側に押し込まれた際のストッパーであり、後方棚部材１３と当接して棚板１０の奥側への移動を規制する。この移動の規制は、後方棚部材１３との当接でなく、後板４１と後方棚部材１３とそれぞれに設けられたマグネットによる非接触によるものであってもよい。マグネットを用いることによりさらに棚板１０の前方への飛び出しを防止することができる。底板４２は幅方向の両端から下方向に折り曲げられたフランジ４３を有する。この底板４２の両端のフランジ４３とブラケット本体２１とは、リベットやネジなどの固定部材４３ａによって固定される。これによって、左右の一対のブラケット２０が補強部材４０を介して接続され、ブラケット２０による棚板１０の支持が補強される。
【００２４】
図８〜図１０に示すように、棚板１０には、棚板１０を前方に引き出すためのスライドレール６０が設けられている。スライドレール６０は、ブラケット本体２１の外側に設けられる。スライドレール６０は、側方棚部材１１に固定されて、棚板１０の前後の出し入れに伴い移動可能な可動側レール６１と、ブラケット本体２１に固定されて棚板１０の前後の出し入れにかかわらず移動しない固定側レール６２とを有する。可動側レール６１には、可動側挿通孔６１ａが設けられている。可動側挿通孔６１ａと側方棚部材１１の固定孔１１ｃとの間に図示しない固定部材が挿通され、可動側レール６１と側方棚部材１１とが固定される。この固定部材はネジであってもよいし、リベットであってもよい。固定側レール６２には、固定側挿通孔６２ａが設けられている。固定側挿通孔６２ａとブラケット本体２１の挿通孔２８との間に固定部材４３ａが挿通され、固定側レール６２とブラケット本体２１とフランジ４３とが固定される。換言すると、補強部材４０とスライドレール６０はブラケット本体２１を挟んで固定される。これによれば、補強部材４０とスライドレール６０とブラケット２０とを別個の連結部材を介さずに固定することができ、特に横幅のサイズを抑制し、棚板１０全体を小型化することができる。また、補強部材４０とブラケット本体２１とスライドレール６０とをそれぞれ個別に固定せず、一の固定部材４３ａによって補強部材４０とブラケット本体２１とスライドレール６０の全体を固定できるため、特に横幅のサイズを抑制し、棚板１０全体を小型化することができる。
【００２５】
本実施形態のショーケース１における棚板１０の接続構造による棚板１０の小型化について、図１１〜図１３の従来の棚板１０の構造と比較して説明する。なお、従来の棚板１０の接続構造について、本実施形態のショーケース１における棚板１０の接続構造と同一の構造については符号のみを変え、詳細な説明については省略する。
【００２６】
図１１〜図１３に示すように、従来の棚板１００では、ブラケット２００は、ブラケット本体２１０と、係合部２５０とを有する。係合部２５０は係合爪２５０ａ〜２５０ｃを有する。補助部材２２０は、ブラケット本体２１０の内側にリベットやネジなどの固定部材で固定されて、ブラケット２００の係合を補助する。ブラケット本体２１０とは別体の補助部材２２０の一部で構成された位置合わせ部材２２０ａが係合爪２５０ａ〜２５０ｃと同じ方向に突出している。この位置合わせ部材２２０ａを図示しない棚柱の係合孔に位置合わせすることで係合爪２５０ａ〜２５０ｃを他の係合孔の位置に合わせることができ、係合爪２５０ａ〜２５０ｃの係合が容易になる。また、ブラケット本体２１０の内側に別部材の内面板２３０が図示しないリベットやスポット溶接などにより固定されている。また、内面板２３０の先端が折り曲げられた固定部材２４０が設けられている。スライドレール６００はこの内面板２３０の上方に位置する。すなわち、スライドレール６００はブラケット本体２１０の内側に設けられている。固定部材２４０は補強部材４００の端部に設けられた挿通孔４１０を挿通する図示しないリベットやネジなどの固定部材によって固定される。ブラケット本体２１０には挿通孔２８０が設けられ、この挿通孔２８０を挿通する図示しないリベットやネジなどの固定部材によってブラケット本体２１０とスライドレール６００の固定側レール６２０とが固定される。スライドレール６００の可動側レール６１０は、ブラケット２００とは別体の連結部材５００を介して側方棚部材１１０に固定される。連結部材５００は、レール固定部材５１０と、棚固定部材５２０とを有する。可動側レール６１０は図示しないリベットやネジなどの固定部材によってレール固定部材５１０に固定され、側方棚部材１１０から突出したブラケット固定部材１１０ｃは、図示しないリベットやネジなどの固定部材によって棚固定部材５２０に固定される。連結部材５００が必要なのは、可動側レール６１０を固定する面が幅方向に向いているのに対し、側方棚部材１１０を固定する面が上下方向に向いており、異なる向きを補正するためである。このように連結部材５００を要するのは、スライドレール６００がブラケット２００の内側に位置しているからである。これによって、ブラケット２００と補強部材４００との間に可動側レール６１０が存在するため、一体的な固定を阻害し別部材が必要になる。また、固定側レール６２０が可動側レール６１０より外側に位置するため、可動側レール６１０を側方棚部材１１０の側板に直接固定することができず別部材が必要になる。
【００２７】
このような従来の棚板１０の接続構造に対し、本実施形態の棚板１０の接続構造によれば、例えば図８〜図１０に示すように、スライドレール６０は、ブラケット本体２１の外側に設けられている。これによって、スライドレール６０の可動側レール６１が固定側レール６２に対して外側に位置するため、可動側レール６１と側方棚部材１１とを直接固定することができる。そして、補強部材４０は、ブラケット本体２１の内側に設けられており、固定側レール６２が可動側レール６１よりも内側に位置することから、補強部材４０とブラケット２０との間に可動側レール６１が存在しないため、スライドレール６０の固定側レール６２をブラケット２０と別個の連結部材無しに補強部材４０に接続でき、特に横幅のサイズを抑制し、棚板全体を小型化することができる。また、補強部材４０とスライドレール６０の固定側レール６２はブラケット本体２１を挟んで一の固定部材４３ａによって固定されている。これにより、補強部材４０とスライドレール６０とブラケット２０とを別個の連結部材を介さずに、また全体を一の固定部材４３ａで固定することができるため、特に横幅のサイズを抑制し、棚板１０全体を小型化することができる。
【００２８】
以上述べたように、本実施形態においては、前面が開口して商品の陳列室を構成するショーケース本体２と、商品が載置される棚板１０と、ショーケース本体２の後面に設けられ、棚板１０が取り付けられる棚柱３０と、棚板１０の左右をそれぞれ固定する一対のブラケット２０とを備え、棚柱３０はブラケット２０を係合する係合孔３３を有し、ブラケット２０は、棚板１０を固定するブラケット本体２１と、このブラケット本体２１後方から外側に折り曲げられた折り曲げ部２３と、この折り曲げ部２３から後方に突出して係合孔３３に係合する係合部２５とを有する。
これによれば、折り曲げ部２３が棚柱３０に当接するため、ブラケット２０と棚柱３０との係合部分のガタつきやブラケット２０の係合爪２５ａ〜２５ｄや棚柱３０の変形を抑制することができる。
【００２９】
また、本実施形態においては、折り曲げ部２３が、ブラケット本体２１に対して略垂直に折り曲げられる。
これによれば、折り曲げ部２３と棚柱３０とが面で当接するため、ブラケット２０と棚柱３０との係合部分のガタつきやブラケット２０の係合爪２５ｄ〜２５ｄや棚柱３０の変形を抑制しやすくなる。
【００３０】
また、本実施形態においては、折り曲げ部２３は、係合部２５が棚柱３０の係合孔３３に係合するとき棚柱３０に当接する。
これによれば、係合部２５が係合孔３３に挿通して棚柱３０にブラケット２０が係合されて、ブラケット２０と棚柱３０との係合部分に応力がかかる際に、折り曲げ部２３が棚柱３０に当接するため、ブラケット２０と棚柱３０との係合部分のガタつきやブラケット２０の係合爪２５ａ〜２５ｄや棚柱３０の変形を抑制することができる。
【００３１】
また、本実施形態においては、棚板１０を前方に引き出し可能なスライドレール６０をさらに備え、スライドレール６０は、ブラケット本体２１の外側に設けられた。
これによれば、スライドレール６０をブラケット２０と別個の連結部材無しに棚板１０側に接続でき、特に横幅のサイズを抑制し、棚板１０全体を小型化することができる。
【００３２】
また、本実施形態においては、一対のブラケット２０を接続してブラケット２０による棚板１０の支持を補強する補強部材４０をさらに備え、補強部材４０は、ブラケット本体２１の内側に設けられた。
これによれば、スライドレール６０をブラケット２０と別個の連結部材無しに補強部材４０に接続でき、特に横幅のサイズを抑制し、棚板全体を小型化することができる。
【００３３】
また、本実施形態においては、補強部材４０とスライドレール６０はブラケット本体２１を挟んで固定された。
これによれば、補強部材４０とスライドレール６０とブラケット２０とを別個の連結部材を介さずに固定することができ、特に横幅のサイズを抑制し、棚板全体を小型化することができる。
【００３４】
また、本実施形態においては、補強部材４０とブラケット本体２１とスライドレール６０とを固定する固定部材４３ａをさらに備えた。
これによれば、補強部材４０とブラケット本体２１とスライドレール６０とをそれぞれ個別に固定せず、一の固定部材４３ａによって全体を固定できるため、特に横幅のサイズを抑制し、棚板全体を小型化することができる。
【００３５】
なお、本発明の実施形態について図面に基づいて説明したが、本発明は、前記実施形態に限られるものではなく、発明の要旨を逸脱しない範囲で変更可能である。
【産業上の利用可能性】
【００３６】
以上のように、本発明に係るショーケースおよびショーケース用の棚は、棚板を強固に保持し、破損を抑制する場合に好適であり、典型的には冷凍・冷蔵向けといった商品の入れ替わりが頻繁に起きる商品陳列の用途に利用することができる。
【符号の説明】
【００３７】
１        ショーケース
２        ショーケース本体
２ａ      天板
２ｂ      側板
２ｃ      底板
４        デックパン
５        陳列室
６        仕切板
８        ダクト
９        ガラス板
１０      棚板
１１      側方棚部材
１１ａ    棚載置部
１１ｂ    側方板部材
１１ｃ    固定孔
１２      前方棚部材
１３      後方棚部材
２０      ブラケット
２１      ブラケット本体
２３      折り曲げ部
２４      突出部
２４ａ    窪み部
２５      係合部
２５ａ、２５ｂ、２５ｃ、２５ｄ  係合爪
２６      抜け防止部材
２７      下面リブ
２８      挿通孔
２９      上面リブ
３０      棚柱
３１      柱部
３３      係合孔
４０      補強部材
４１      後板
４２      底板
４３      フランジ
４３ａ    固定部材
６０      スライドレール
６１      可動側レール
６１ａ    可動側挿通孔
６２      固定側レール
６２ａ    固定側挿通孔
１００    棚板
１１０    側方棚部材
１１０ｃ  ブラケット固定部材
１３０    後方棚部材
２００    ブラケット
２１０    ブラケット本体
２２０    補助部材
２２０ａ  位置合わせ部材
２３０    内面板
２４０    固定部材
２５０    係合部
２５０ａ、２５０ｂ、２５０ｃ  係合爪
２８０    挿通孔
４００    補強部材
４１０    挿通孔
５００    連結部材
５１０    レール固定部材
５２０    棚固定部材
６００    スライドレール
６１０    可動側レール
６２０    固定側レール
【図１】
2019097778.tif 000003
【図２】
2019097778.tif 000004
【図３】
2019097778.tif 000005
【図４】
2019097778.tif 000006
【図５】
2019097778.tif 000007
【図６】
2019097778.tif 000008
【図７】
2019097778.tif 000009
【図８】
2019097778.tif 000010
【図９】
2019097778.tif 000011
【図１０】
2019097778.tif 000012
【図１１】
2019097778.tif 000013
【図１２】
2019097778.tif 000014
【図１３】
2019097778.tif 000015